(57)【特許請求の範囲】
【請求項１】
水中防水構造で稼動部を持つ被検査筐体の防水試験前の気密性試験に用いる簡易型気密試験機であって、
圧縮空気が供給される配管に接続されるカップラージョイントと、
気密検査の対象となる前記被検査筐体の筐体内部に気密状態で接続される真空プラグアダプタと、
前記カップラージョイントと前記真空プラグアダプタとの間を接続する可撓性のエアチューブで構成した管路に、前記カップラージョイント側から前記真空プラグアダプタ側に向かって順次配設された、前記筐体内部を減圧するエジェクタ式真空発生器、前記筐体内部を真空状態に保つように手動で真空のオン／オフの切替が可能な開閉バルブ、および前記筐体内部の真空状態を監視する真空計と、
を具備したことを特徴とする簡易型気密試験機。
【請求項２】
前記圧縮空気が調整できない場合に、前記管路の前記カップラージョイントと前記エジェクタ式真空発生器との間に圧縮空気圧調整用のフィルタレギュレータを更に配設したことを特徴とする請求項１に記載の簡易型気密試験機。
【発明の詳細な説明】
【技術分野】
【０００１】
本発明は、エジェクタ式真空発生器を用いた簡易型気密試験機に関する。
【背景技術】
【０００２】
水中防水構造をもつ装置においては、装置製造中に、同装置の筐体の気密構造を確認するために、筐体をタンク型の防水試験器へ入れ、一定時間、規定の水圧をかけて、筐体の性能評価を行う。
【０００３】
しかし通常の場合、電気部品や内部部品を保護するために、若しくは重要気密部の構造を確認するために、装置完成前において、各ユニット部品（例えば電気部品類の取付前）の段階で、数回の防水試験を行う場合が多い。
【０００４】
防水試験は、専用の防水試験器に水を溜めてタンク内圧力（水圧）を上げて行うため、準備や片付けを合わせると、各回の試験毎に多くの時間を労力を要する。
【０００５】
そこで、防水試験を最終段階として、その前段階で各ユニット部品の気密性試験が行われる。この種、防水試験を最終段階とした装置の気密性試験技術として、従来では、被試験体である装置の内部にヘリウムガスを注入して、装置の内部を加圧し、状態変化を測定する工程と、真空ポンプにより装置の内部から体気体を吸引して、装置の内部を減圧し、状態変化を測定する工程とを有して、装置の防水構造の良、不良を判断する防水試験技術（特許文献１）や、エアーポンプ（真空ポンプ）を作動して、被験機に所定の微圧差を付与し、微圧差の時間的変化を測定する防水試験技術（特許文献２）が存在した。
【０００６】
しかしながら、これらの気密性試験技術は、いずれもエアーポンプ（真空ポンプ）やヘリウムガスボンベを用いた大掛かりな試験設備であり、試験設備を特定の作業場所に常設した場合は、検査対象となる装置が可搬の容易な可搬動作の制約されたものに限られ、試験設備を作業場所に搬送して使用する場合は、設置から片付け完了までに多くの時間と労力を要する、という問題があった。
【特許文献１】特開２００２−９８６１２号公報
【特許文献２】特開平１１−１４３６０号公報
【発明の開示】
【発明が解決しようとする課題】
【０００７】
上述したように、従来では、例えば装置完成前の段階で、各ユニット部品（例えば電気部品類の取付前）について、装置筐体の気密性評価試験を行う場合等において、エアーポンプ（真空ポンプ）やヘリウムガスボンベが常設される特定の試験設備ではなく、当該試験場所を特定せず、且つ任意の状態（稼働状態）下で容易に行うことのできる簡易型の試験装置が存在しないという問題があった。
【０００８】
本発明は上記問題点を解消して、各種装置筐体の気密性評価の試験場所を特定せず任意の状態下で容易に行うことのできる、小型で取り扱いが容易な可搬型の簡易型気密試験機を提供することを目的とする。
【課題を解決するための手段】
【０００９】
本発明は、最終防水試験の前段階で行う装置筐体の気密性評価試験に適用して好適な真空発生器（エジェクタ）を用いた簡易型気密試験機を提供する。
【００１０】
本発明の簡易型気密試験機は、水中防水構造を持つ被検査筐体の防水試験前の気密性試験に用いる簡易型気密試験機であって、圧縮空気が供給される配管に接続されるカップラージョイントと、気密検査の対象となる前記被検査筐体の筐体内部に気密状態で接続される真空プラグアダプタと、前記カップラージョイントと前記真空プラグアダプタとの間を接続する可撓性のエアチューブで構成した管路に、前記カップラージョイント側から前記真空プラグアダプタ側に向かって順次配設された、前記筐体内部を減圧するエジェクタ式真空発生器、前記筐体内部を真空状態に保つように手動で真空のオン／オフの切替が可能な開閉バルブ、および前記筐体内部の真空状態を監視する真空計と、を具備したことを特徴とする。
【発明の効果】
【００１１】
本発明によれば、既存の設備を有効に活用した経済的に有利な構成で、各種装置の気密性評価の試験場所を特定せず任意の状態下で容易に行うことのできる、小型で取り扱いが容易な可搬型の簡易型気密試験機が提供できる。
【発明を実施するための最良の形態】
【００１２】
以下図面を参照して本発明の実施形態を説明する。なお、本発明の実施形態に係る簡易型気密試験機の使用に際しては、圧縮空気が必要になるが、通常、製品組立現場には、エアガン・エアブロー用の圧縮空気分岐が配管されており、試験時に、この配管を圧縮空気供給源として利用する。
【００１３】
本発明の実施形態に係る、エジェクタ式真空発生器を用いた簡易型気密試験機の構成を図１に示す。  
本発明の実施形態に係る簡易型気密試験機３は、圧縮空気供給源１に接続されるカップラージョイント１１と、気密検査の対象となる被検査筐体２の筐体内部２ａに気密状態で接続される真空プラグアダプタ１６と、上記カップラージョイント１１と上記真空プラグアダプタ１６との間を接続する管路（エアチューブ）１０（１０ａ〜１０ｅ）に、上記カップラージョイント１１側から上記真空プラグアダプタ１６側に向かって、順次、配設された、上記筐体内部２ａを減圧するエジェクタ式真空発生器１３、上記筐体内部２ａを真空状態に保つ開閉バルブ１４、および上記筐体内部２ａの真空状態を監視する真空計１５とを具備して構成される。この実施形態では、上記カップラージョイント１１とエジェクタ式真空発生器１３との間に、圧縮空気圧調整用のフィルタレギュレータ１２を配設した構成を例示している。
【００１４】
上記した簡易型気密試験機３の構成要素において、カップラージョイント１１は、この簡易型気密試験機を使用する製品組立現場（製造ライン等）の設備配管に合わせたクイックカプラージョイントを用いて構成される。エジェクタ式真空発生器１３は、小型で軽量な樹脂製エジェクタが適用可能である。例えば、多段階の出力調整が可能なノズルを有した樹脂製エジェクタ、サイレンサ付のエジェクタ等が適用可能である。開閉バルブ１４は、例えばシャフトの押し引きにて真空のオン／オフ切替が可能な手動式のものが適用可能である。真空計１５は電気配線を一切必要としないアナログダイヤル式の真空計を用いて構成される。真空プラグアダプタ１６は、被検査筐体２の筐体内部２ａに連通する筐体設計により穿設されたユニット間接続孔２ｈに合わせた差込式のシール付プラグアダプタを用いて構成される。フィルタレギュレータ１２は手元で（圧縮空気供給源１側で）圧縮空気圧力を調整できない場合に増設して使用する。上記カップラージョイント１１と上記真空プラグアダプタ１６との間を接続する管路１０（１０ａ〜１０ｅ）は、可撓性を有するエアチューブを用いて構成される。
【００１５】
このように構成された簡易型気密試験機３は、小型・軽量であり、作業者が容易に携行できる。また、エアーポンプ（真空ポンプ）やヘリウムガスボンベが常設される特定の試験設備ではなく、電気系統を一切必要としない構成から、作業者が任意の作業場所に出向いて、各種装置の気密性評価の試験場所を特定せず、且つ任意の状態下で容易に行うことができる。
【００１６】
上記した本発明の実施形態に係る簡易型気密試験機３の使用手順は、まず、簡易型気密試験機３を圧縮空気供給源１と被検査筐体２との間に接続する。すなわち、圧縮空気供給源１に、カップラージョイント１１を接続し、被検査筐体２の筐体内部２ａ（ユニット間接続孔２ｈ）に、真空プラグアダプタ１６を接続する。
【００１７】
真空計１５を目視しながら、被検査筐体２の筐体内部２ａを徐々に減圧し、一定レベルまでゲージが上がった状態で、開閉バルブ１４を引き、開閉バルブ１４をオフにして、被検査筐体２の筐体内部２ａを真空状態にする。
【００１８】
被検査筐体２に稼働箇所があれば、当該稼働部を動作させる。
【００１９】
所定時間経過後、真空計１５のゲージが下がらなければ、作業者が被検査筐体２に対して気密性合格の判定を行い、カップラージョイント１１を圧縮空気供給源１から外し、真空プラグアダプタ１６を被検査筐体２のユニット間接続孔２ｈから外して、被検査筐体２に対する検査を終了する。
【００２０】
このようにして、装置筐体の気密性試験を、簡単な作業並びに操作で容易かつ迅速に行うことができる。具体例を挙げると、防水試験機の使用が不要のため、試験機の移動、準備、片付けに必要な時間が短縮される。内部加圧試験と異なり、水槽等の準備が不要である。防水試験、加圧試験よりも安全（真空度最高でも１気圧源減）である。水を使用しないので、気密性検査が不合格となった場合であっても筐体内部に影響が及ばない。真空ポンプなどの真空設備が不要である。小型の装置筐体から大型の装置筐体まで種々の装置筐体に適用可能である。稼働部を動作させながら試験を実施できる。減圧式のため簡単な構造の真空プラグアダプタで対応可能である。
【図面の簡単な説明】
【００２１】
【図１】本発明の実施形態に係る簡易型気密試験機の構成を示す図。
【符号の説明】
【００２２】
１…圧縮空気供給源、２…被検査筐体、２ａ…筐体内部、２ｈ…ユニット間接続孔、３…簡易型気密試験機、１０（１０ａ〜１０ｅ）…管路（可撓性を有するエアチューブ）、１１…カップラージョイント、１２…フィルタレギュレータ、１３…エジェクタ式真空発生器、１４…開閉バルブ、１５…真空計、１６…真空プラグアダプタ。
【図１】
0004586059.tif 000002